(57)【特許請求の範囲】
【請求項１】
被処理水である井戸、河川もしくは池の水源の水または雨水を処理して、生活用水として二次貯水槽へ送水する水質浄化システムであって、前記被処理水側の第一バルブと、前記被処理水を汲み上げるポンプと、前記二次貯水槽側の第二バルブとを順番に接続した配管と、前記ポンプの吸込側と吐出側で前記配管をそれぞれ分岐させ、前記分岐のそれぞれに第三バルブと第四バルブを備えかつ被処理水を循環できるようにした循環流路と、前記ポンプを駆動させるとともに前記第一バルブ、第二バルブ、第三バルブ、第四バルブを制御する制御部とを備え、前記循環流路の途中に上流側から、前記被処理水を通過して水質を改善する水質改善装置と前記水質改善装置により水質を改善した前記被処理水を浄化水として一次貯水する一次貯水槽とを備え、前記制御部は、前記第一バルブと第二バルブを閉じて、第三バルブと第四バルブを開いて、前記被処理水を前記循環流路内に循環させて浄化を行なうか、前記第一バルブと第四バルブを閉じて、第二バルブと第三バルブを開いて前記浄化して前記一次貯水槽に一次貯水した前記浄化水を前記二次貯水槽へ移送するかを切替えることを特徴とする水質浄化システム。
【請求項２】
被処理水である井戸、河川もしくは池の水源の水または雨水を処理して、生活用水として二次貯水槽へ送水する水質浄化システムであって、前記被処理水側の第一バルブと、前記被処理水を汲み上げるポンプと、前記二次貯水槽側の第二バルブとを順番に接続した配管と、前記ポンプの吸込側と吐出側で前記配管をそれぞれ分岐させ、前記分岐のそれぞれに第三バルブと第四バルブとを備え、かつ、被処理水を循環かつ一次貯水できるようにした循環流路と、空気の流入が可能なバルブを備え前記循環流路の途中で前記被処理水を通過して水質を改善する水質改善装置と、前記ポンプを駆動させるとともに前記第一バルブ、第二バルブ、第三バルブ、第四バルブを制御する制御部とを備え、前記制御部は、前記第一バルブと第二バルブを閉じて、第三バルブと第四バルブを開いて、前記被処理水を前記循環流路内に循環させて浄化を行なうか、前記第一バルブと第四バルブを閉じて、第二バルブと第三バルブを開いて前記浄化して前記循環流路に一次貯水した前記浄化水を前記二次貯水槽へ移送するかを切替えることを特徴とする水質浄化システム。
【請求項３】
前記二次貯水槽の貯水量を補充するときに、前記第一バルブ、前記第二バルブ、前記第三バルブ、前記第四バルブを切り替えて前記ポンプを動作させることで、先ず前記循環流路内または一次貯水槽に水質改善装置を通過させた被処理水を一次貯水し、その後前記循環流路内に循環させて前記被処理水の再度浄化を行うアルゴリズムを備えた請求項１または２記載の水質浄化システム。
【請求項４】
前記水質改善装置は、砂ろ過・フィルタ・薬液浄化・オゾン浄化・光触媒、電気分解の酸
化除菌システム、または、紫外線のうちの少なくとも一つを有する事を特徴とする、請求
項１または２記載の水質浄化システム。
【発明の詳細な説明】
【技術分野】
【０００１】
本発明は、小規模施設用の水質浄化システムに関するものである。
【背景技術】
【０００２】
井水や河川等の水源から汲み上げた水や雨水を、例えば家庭用の洗濯や風呂水として利用したり、植物栽培用に散水したりするために、これらの水を浄化する小規模水質浄化システムが提案されている。（例えば、特許文献１参照）。
【０００３】
従来の水質浄化システムは、タンクに溜められた水の水質を改善するという構成のものや、フィルタ等で浄化した水をタンク内に貯めるものが大多数であった。
【０００４】
タンク内に貯められた水を浄化するものでは、タンク内の水が減ってきた場合に、タンクに浄化されていない水が追加供給される。このため、浄水を使用しようとすると、タンク内の水全体が浄化されるのを待たなければならず、タンク内の水が浄化中は、水を取り出すことができず、浄化されていない水を使用しなければならない場合があった。浄化された処理水（以下、浄水とする）と被処理水が混合する事により、再び浄水になるまでタンク内の水をすべて浄化しなければならず、効率的な処理ができなかった。
【０００５】
また、フィルタ等により浄化した水をタンク内に貯めるものは、フィルタ等の浄化装置を１回通過した後タンクに貯水されるものであるので、浄化機器を高機能（大型・高価格）のものにする必要があった。
【０００６】
市場からは、浄化された水がいつでも使用できる水質浄化システムで、より構造がシンプルで簡単な施工、且つ、設置面積も小さいものが要望されている。
【先行技術文献】
【特許文献】
【０００７】
【特許文献１】特開２００７−１８５６１５号公報
【発明の概要】
【発明が解決しようとする課題】
【０００８】
従来の水質改善装置は、井戸、河川もしくは池等の水源から汲み出した水または雨水等の被処理水を溜めるための貯水槽を有し、その貯水槽の被処理水を循環させて浄化し、浄水とする構成であり、被処理水も浄水も同じ貯水槽に溜められている。このため、貯水槽の水が減り、貯水槽に被処理水が供給されると、暫くの時間（浄化が完了するまでの間）は、貯水槽内に溜められた水には浄化されていない被処理水が混ざっている。このため、貯水槽内の水が浄化され終わるまでは、汲み出される水は浄水とは言えない。よって、浄水を汲み出す時間が制限されるという課題があった。
【０００９】
また、貯水槽に被処理水が追加供給されたとき、その追加供給された被処理水のみならず、既に溜まっている浄水も循環させて浄化処理を行うため、浄化効率が悪いという課題もあった。
【００１０】
一方、浄化した処理水を貯水槽に貯めるものについては上記の問題点はないが、一回の通過により水処理する為には高機能の処理装置が必要になり、機器の価格が高価で大型化する事となり、前記処理装置の配管抵抗が大きくなるので、汲み上げポンプも大型にする要があった。
【００１１】
そこで本発明は、上記従来の課題を解決するものであり、浄化された水がいつでも使用できる水質浄化システムで、より構造がシンプルで、汲み上げポンプも大型にする必要がなく、簡単な施工で設置面積も小さい水質浄化システムを提供することを目的とする。
【課題を解決するための手段】
【００１２】
上述の課題を解決するために、被処理水である井戸、河川もしくは池の水源の水または雨水を処理して、生活用水として二次貯水槽へ送水する水質浄化システムであって、前記被処理水側の第一バルブと、前記被処理水を汲み上げるポンプと、前記二次貯水槽側の第二バルブとを順番に接続した配管と、前記ポンプの吸込側と吐出側で前記配管をそれぞれ分岐させ、前記分岐のそれぞれに第三バルブと第四バルブを備えかつ被処理水を循環できるようにした循環流路と、前記ポンプを駆動させるとともに前記第一バルブ、第二バルブ、第三バルブ、第四バルブを制御する制御部とを備え、前記循環流路の途中に上流側から、前記被処理水を通過して水質を改善する水質改善装置と前記水質改善装置により水質を改善した前記被処理水を浄化水として一次貯水する一次貯水槽とを備え、前記制御部は、前記第一バルブと第二バルブを閉じて、第三バルブと第四バルブを開いて、前記被処理水を前記循環流路内に循環させて浄化を行なうか、前記第一バルブと第四バルブを閉じて、第二バルブと第三バルブを開いて前記浄化して前記一次貯水槽に一次貯水した前記浄化水を前記二次貯水槽へ移送するかを切替えることを特徴とする水質浄化システム。
水質浄化システムである。
【００１３】
また、被処理水である井戸、河川もしくは池の水源の水または雨水を処理して、生活用水として二次貯水槽へ送水する水質浄化システムであって、前記被処理水側の第一バルブと、前記被処理水を汲み上げるポンプと、前記二次貯水槽側の第二バルブとを順番に接続した配管と、前記ポンプの吸込側と吐出側で前記配管をそれぞれ分岐させ、前記分岐のそれぞれに第三バルブと第四バルブとを備え、かつ、被処理水を循環かつ一次貯水できるようにした循環流路と、空気の流入が可能なバルブを備え前記循環流路の途中で前記被処理水を通過して水質を改善する水質改善装置と、前記ポンプを駆動させるとともに前記第一バルブ、第二バルブ、第三バルブ、第四バルブを制御する制御部とを備え、前記制御部は、前記第一バルブと第二バルブを閉じて、第三バルブと第四バルブを開いて、前記被処理水を前記循環流路内に循環させて浄化を行なうか、前記第一バルブと第四バルブを閉じて、第二バルブと第三バルブを開いて前記浄化して前記一次貯水槽に一次貯水した前記浄化水を前記二次貯水槽へ移送するかを切替えることを特徴とする水質浄化システム。
【発明の効果】
【００１４】
本発明によれば、被処理水が汲み上げられ、バルブの切替操作のみで、循環流路中の被処理水が完全に浄化するのに必要な時間が経過するまでは、貯水槽に送水されないので、浄化後の貯水槽に被処理水が混入する事はない。処理後の浄水は、循環浄化時とは別のバルブ開閉により、二次貯水槽に送水される。被処理水の汲み上げ、循環浄化、及び、送水は全て一つのポンプで行われる。
【００１５】
繰り返しとなるが、本発明の基本となる構成を用いると、汲み上げポンプと複数のバルブ操作により、被処理水を浄化した後、浄水を溜めておく貯水槽に送水するので、浄水に被処理水が混合するという問題を解決できる。また、被処理水を集中的に浄化できるため、浄化効率が向上する。
【００１６】
水路を切替えるバルブについては、三方弁を用いても全く問題はない。
【００１７】
また、一次貯水槽を極力小さくして配管としても、同様の効果を得ることができる。その場合は、循環浄化した浄水を貯水槽に送水するために、配管内に空気を取込む必要があるので、空気流入用のバルブを設ければよい。
【００１８】
通常被処理水には家庭排水の混入等の影響により、多くの有機物を含んでいる場合が多いので、ワンパスタイプの浄化方法では、高性能のフィルタやろ過装置を採用する事で、有機物を除去する。しかし、高性能のフィルタは、ろ過性能を高くする一方で、その水路抵抗は非常に大きなものになり、結果として大型化・高価格・高消費電力のポンプが必要となる。
【００１９】
本発明では、さらに、前記二次貯水槽の貯水量を補充するときに、前記水路切替手段を切り替えて前記ポンプを動作させることで、先ず前記循環流路内または一次貯水槽に水質改善装置を通過させた被処理水を一次貯水し、その後前記循環流路内に循環させて前記被処理水の再度浄化を行うアルゴリズムを備えたことにより、循環流路内の被処理を複数回循環して処理する事が可能であり、高性能の浄化機器が不要となるので、機器を大幅に小型化することができる。これにより、ポンプや水質改善装置が安価となるばかりでなく、小型化することにもつながる。この為、安価で、設置スペースや消費電力を小さくすることができる。
【００２０】
このような構成とする事で、大量に浄水が必要な場合でも、いつでも浄水を汲み出すことができ、更に、一次貯水槽を小型タンクまたは循環流路とする事ができるので機器の構造をシンプルかつ小型化でき、需要者の要望に対応できるシステムとなる。
【図面の簡単な説明】
【００２１】
【図１】本発明の実施例１の配管構成を示す配管図
【図２】本発明の実施例１の回路図を示すブロック回路図
【図３】本発明の実施例１の水質改善制御を示すフローチャート
【図４】本発明の実施例２の配管構成を示す配管図（三方弁使用例）
【図５】本発明の実施例３の配管構成を示す配管図
【図６】本発明の実施例３の回路図を示すブロック回路図
【図７】従来の実施例の配管図
【発明を実施するための形態】
【００２２】
本発明の請求項１記載の水質浄化システムは、被処理水である井戸、河川もしくは池の水源の水または雨水を処理して、生活用水として二次貯水槽へ送水する水質浄化システムであって、前記被処理水側の第一バルブと、前記被処理水を汲み上げるポンプと、前記二次貯水槽側の第二バルブとを順番に接続した配管と、前記ポンプの吸込側と吐出側で前記配管をそれぞれ分岐させ、前記分岐のそれぞれに第三バルブと第四バルブを備えかつ被処理水を循環できるようにした循環流路と、前記ポンプを駆動させるとともに前記第一バルブ、第二バルブ、第三バルブ、第四バルブを制御する制御部とを備え、前記循環流路の途中に上流側から、前記被処理水を通過して水質を改善する水質改善装置と前記水質改善装置により水質を改善した前記被処理水を浄化水として一次貯水する一次貯水槽とを備え、
前記制御部は、前記第一バルブと第二バルブを閉じて、第三バルブと第四バルブを開いて、前記被処理水を前記循環流路内に循環させて浄化を行なうか、前記第一バルブと第四バルブを閉じて、第二バルブと第三バルブを開いて前記浄化して前記一次貯水槽に一次貯水した前記浄化水を前記二次貯水槽へ移送するかを切替えることを特徴とする構成を有する。
【００２３】
また、本発明の請求項２記載の水質浄化システムは、被処理水である井戸、河川もしくは池の水源の水または雨水を処理して、生活用水として二次貯水槽へ送水する水質浄化システムであって、前記被処理水側の第一バルブと、前記被処理水を汲み上げるポンプと、前記二次貯水槽側の第二バルブとを順番に接続した配管と、前記ポンプの吸込側と吐出側で前記配管をそれぞれ分岐させ、前記分岐のそれぞれに第三バルブと第四バルブとを備え、かつ、被処理水を循環かつ一次貯水できるようにした循環流路と、空気の流入が可能なバルブを備え前記循環流路の途中で前記被処理水を通過して水質を改善する水質改善装置と、前記ポンプを駆動させるとともに前記第一バルブ、第二バルブ、第三バルブ、第四バルブを制御する制御部とを備え、前記制御部は、前記第一バルブと第二バルブを閉じて、第三バルブと第四バルブを開いて、前記被処理水を前記循環流路内に循環させて浄化を行なうか、前記第一バルブと第四バルブを閉じて、第二バルブと第三バルブを開いて前記浄化して前記一次貯水槽に一次貯水した前記浄化水を前記二次貯水槽へ移送するかを切替えることを特徴とする構成を有する。
上記構成では、前記バルブの制御を行うだけで、汲み上げポンプにより一次貯水槽から二次貯水槽へ送水する事ができるようになり、別途ポンプを設ける必要がなくなる。また、同様に前記バルブを制御すれば、被処理水を循環流路内で循環させることができ、前記水質改善装置により複数回の浄化処理が行えるので、従来のワンパス方式の水質改善装置に比べて、能力の低い小型タイプのものを使用できる。従って、単なる原価低減のみならず、各々の装置の設置スペースや工事の手間も大幅に削減できる。
【００２４】
被処理水が汲み上げられ、循環流路中の被処理水を完全に浄化するのに必要な時間が経過するまでは、二次貯水槽に送水されないので、浄化後の二次貯水槽に未浄化の被処理水が混入する事はない。処理後の浄水は、循環浄化時とは異なるバルブ開閉制御と汲み上げポンプにより、二次貯水槽に送水される。
【００２５】
本発明の基本となる構成を用いると、汲み上げポンプと複数のバルブ操作により、被処理水を浄化した後、浄水を溜めておく貯水槽に送水するので、浄水に被処理水が混ざるという問題を解決できる。また、被処理水を集中的に浄化できるため、浄化効率が向上する。
【００２６】
水路を切替えるバルブについては、三方弁を用いても全く問題はない。
【００２７】
また、循環流路を小型の一次貯水槽として構成しても、同様の効果を得ることができる。その際には、循環浄化した浄水を貯水槽に送水するために、配管内に空気を取込む必要があるので、空気流入用のバルブを設ければよい。
【００２８】
本発明により、浄化効率を向上させつつ、二次貯水槽に常時大量の浄水を確保しておくことができる。よって、大量に浄水が必要な場合でも、いつでも浄水を汲み出すことができ、需要者の要望に対応できるシステムとなる。
【００２９】
また、前記二次貯水槽の貯水量を補充するときに、前記水路切替手段を切り替えて前記ポンプを動作させることで、先ず前記循環流路内または一次貯水槽に水質改善装置を通過させた被処理水を一次貯水し、その後前記循環流路内に循環させて前記被処理水の再度浄化を行うアルゴリズムを備えたことにより、循環流路内の被処理を複数回循環して処理する事が可能であり、高性能の浄化機器が不要となり、機器を大幅に小型化することができる。これにより、ポンプや水質改善装置が安価となるばかりでなく、小型化することにもつながる。この為、安価で、設置スペースや消費電力を小さくすることができる。
【００３０】
更に、前記水質浄化装置を、砂ろ過・フィルタ・薬液浄化・オゾン浄化・光触媒、電気分解等の酸化除菌システム、または、紫外線のうちの少なくとも一つを有するシステムとすれば、浄化装置の選択により対応できる水質の範囲が広がるという効果も発揮する。
【００３１】
以下、本発明の実施形態について図面を参照しながら説明をする。
【００３２】
（実施の形態１）
本実施の形態では、水質改善装置で水質が改善される、井戸、河川もしくは池等の水源から汲み出した水または雨水を、「被処理水」と称することとする。そして、水質が改善されて浄化された被処理水は、「浄水」と称することとする。
【００３３】
図１は、本実施の形態の水質浄化システム１の構成を説明するためのブロック図である。
【００３４】
図１において、水質浄化システム１には、被処理水（本実施の形態では井戸水）を汲み上げるポンプ２と、井戸水を汲み上げる流路と循環流路７を切替える第一バルブ３、第三バルブ４、第二バルブ５、及び第四バルブ６と、第四バルブ６と第三バルブ４により構成される循環流路７には水質改善装置として水質を改善する為のフィルタ８、オゾン生成・混合器９、及び浄化度合いを検出する水質センサ１０と、循環浄化された循環流路７内の浄水を貯水する一次貯水槽１１と、その水位を検出する水位センサ１２とが含まれている。
【００３５】
一次貯水槽１１と二次貯水槽１３に設けられた水位センサ１２と１４は、実線で示す所定の低水位ＷＬと、破線で示す所定の高水位（満水位）ＷＨという２つの水位を検知することができる。
【００３６】
運転開始時は、一次貯水槽が空であるので、第一バルブ３、第四バルブ６が開き、第三バルブ４、第二バルブ５が閉じて、ポンプ２の運転が始まる。一次貯水槽の水位が、高水位ＷＨに達すると、第一バルブ３、第三バルブ４、第二バルブ５、及び第四バルブ６の働きにより、一次貯水槽１１の被処理水が循環流路７を通って、フィルタ８を通って濾過される。フィルタ８内は、例えば、第１フィルタ（図示せず）は例えばマンガン砂等を用いた砂濾過フィルタであり、主として被処理水中に含まれるマンガン成分や鉄分を除去する。第２フィルタ（図示せず）は、例えば活性炭フィルタであり、主として被処理水中の臭い成分や雑菌成分を吸着して除去する。次に、オゾン生成・混合器９により、被処理水中の細菌やフィルタ８をすり抜けた微小有機物の分解を行う。なお、被処理水は、井戸ではなく、河川、池、雨水貯留タンクなどから供給する構成としてもよい。処理水の種類により、最適な浄化手段を選択すれば、処理できる水質は大幅に広がる。
【００３７】
通常、被処理水には家庭排水の混入等の影響により、多くの有機物を含んでいる場合が多い。ワンパスタイプの浄化方法では、高性能のフィルタやろ過装置を採用する事で、有機物を除去する。しかし、高性能のフィルタは、ろ過性能を高くする一方で、その水路抵抗は非常に大きなものになり、ポンプ２は結果として大型化・高価格・高消費電力の機器が必要となる。
【００３８】
この実施形態では、循環流路７内の被処理水を複数回循環して処理する事が可能である為、フィルタ８やオゾン生成・混合器９を小型化することができる。これは、水質改善装置が安価となるばかりでなく、ポンプ２を小型化することにもつながる。この為、設置スペースや消費電力も小さくする事ができる。
【００３９】
更に、二次貯水槽１３には、例えば家２０内へ浄水を取り出すための配管２１が接続されている。家２０の中では、高圧ポンプ１５とＵＦフィルタ１６により、構成されている。ＵＦフィルタ１６は、例えばポリ塩化ビニールＰＶＣ、酢酸セルロースＣＡ、ポリエーテルスルホンＰＥＳ、ポリアクリロニトリルＰＡＮなどで構成される。ＵＦフィルタ１６の膜モジュール構造は、中空糸型、シート型、スパイラル型、チューブラー型、回転閉膜型などがある。浄水をＵＦフィルタ１６により濾過すると、微小な孔径の作用で、殺菌やウィルスといった極微細な異物が捕獲される。よって、浄水中に残留している雑菌やウィルスが除かれて、二次貯水槽１３に溜められる水は飲料用に適した水となる。
【００４０】
よって、貯水槽の設置場所が高温であったり、二次貯水槽１３内に溜められた浄水が長時間使用されない場合にも、溜められた浄水を再浄化して、飲料用に使用することのできる水質浄化システム１とすることができる。
【００４１】
図２には、ブロック部を示す。この実施形態では、一次貯水槽１１には水位センサ１２、循環流路７には水質センサ１０、また、二次貯水槽１３内には、水位センサ１４が設置されており、それらの信号はすべて制御部にインプットされている入力信号、及び、運転コース入力信号に基づき、水質浄化システム１に備えられた制御部は、ポンプ２、第一バルブ３、第三バルブ４、第二バルブ５、及び第四バルブ６、オゾン生成・混合器９、及び、表示部（図示せず）を制御する。運転コースは、「水質センサコース」と「時間運転コース」を選択でき、「時間運転コース」は、更に、「６０分運転コース」、「３０分運転コース」と「１０分運転コース」の３つのコースが選択可能である。
【００４２】
図３には制御部のフローチャートを示し、以下に動作を説明する。先ず、ユーザが「運転コース」を入力すると、次に、二次貯水槽１３の水位が高水位ＷＨに達しているかをチェックする。満水になっているのであれば、二次貯水槽１３の水位が低下（使用者が浄水を使用する）して、水位が低下すると次に運転してから「満水状態」に一度なっているかをチェックし、一度も「満水状態」になっていない場合は、「初めての使用」という事で、満水になるまで循環浄化工程を続ける。満水になっているのであれば「継続使用」という事で、低水位ＷＬになるまで待機する。
【００４３】
次に、循環浄化工程を説明する。被処理水は、前記ポンプ２により井戸水を汲み上げられるが、その際、第一バルブ３、第四バルブ６は開いており、第三バルブ４、第二バルブ５は閉じている。循環流路７内の被処理水は、水質改善装置であるフィルタ８及びオゾン生成・混合器９により水質が改善され、一次貯水槽が満たされる。次に、第一バルブ３、第二バルブ５が閉じ、第三バルブ４、第四バルブ６が開くことにより、被処理水が循環流路７及びオゾン生成・混合器９で浄化され、一次貯水槽１１に送られる。
【００４４】
ワンパスタイプの従来の浄化方法であれば一度の通過時に全ての浄化を行わねばならないので高機能の浄化システムが必要となるが、本発明の実施形態では、循環流路７内を被処理水は複数回循環するので、フィルタ８及びオゾン生成・混合器９の能力が高いものを採用しなくても、十分な浄化能力を得ることができる。
【００４５】
水質センサ１０の出力を入力する事で、循環流路７内の被処理水の浄化程度を把握し、所望の浄化度で停止する「水質センサコース」と、水質センサ１０を用いずに循環浄化時間を決定できる「時間運転コース」を、ユーザは選択できるので、所望の浄化度で仕上げることができる。
【００４６】
浄化された浄水は、第三バルブ４、第二バルブ５が開き、第一バルブ３、第二バルブ６が閉じて、ポンプ２が動作する事で、二次貯水槽１３に送水される。その時には、オゾン生成・混合器９は停止する。一次貯水槽１１の水位が、低水位ＷＬを検知すると、全ての第一バルブ３、第三バルブ４、第二バルブ５、及び第四バルブ６が閉じ、ポンプ２とオゾン生成・混合器９は停止する。
【００４７】
二次貯水槽１３が、高水位（満水位）ＷＨを検出する迄、上記運転は繰り返される。
【００４８】
（実施の形態２）
図４は、実施の形態１の水路を切替えるバルブの第一バルブ３、第三バルブ４、第二バルブ５、及び第四バルブ６を、三方弁１７、及び、１８に入れ替えた実施形態である。図３の構成において、図１の構成と同一または対応する部分には、同一の番号が付されている。
【００４９】
動作については、運転開始時に三方弁１７が開き被処理水の汲上が開始される。三方弁１７と１８の制御により、浄化中は循環流路７内で、浄化後は二次貯水槽に送水される。前述の実施の形態１と同様に、二次貯水槽１３が、高水位（満水位）ＷＨを検出する迄、上記運転は繰り返される。
【００５０】
本発明の実施形態では、配管構成上は大きく変わらないが、三方弁の個数はバルブの個数より少なく、より配管がシンプルで制御用の配線が少なくなるというメリットがある。
【００５１】
（実施の形態３）
図５は、本発明の実施形態１の一次貯水槽をなくした他実施形態である。図５の構成において、図１の構成と同一または対応する部分には、上記と同様に同一の番号が付されている。
【００５２】
本発明の実施形態に於いては、一次貯水槽１１がない構成となっている。上記の一次貯水槽１１の代わりに循環流路７が一次貯水槽１１の役割を果たすもので、循環浄化も同様に行うことができる。
【００５３】
循環流路７内に空気が入ってこなければ、二次貯水槽１３に浄化後の浄水を送水することはできないが、フィルタ８に接続した空気取込み用のバルブ１９を開くことで、問題なく送水することができる。水位センサ２２と水位センサ２３は、例えば電極式の水位検出センサであり、循環流路７内の水位を検出する。水位センサ２２と２３の信号を、制御部に入力することでポンプ２がエア噛等の不具合を起こす事はない。図６は、本実施例のブロック図である。
【００５４】
本発明の実施形態では、一次貯水槽１１をなくすことができる。これにより、更に、設置面積を小さくすることができる。
【００５５】
図７は、浄化機能がない既存ポンプ汲み上げシステムを示し、図１の構成と同一または対応する部分には、上記と同様に同一の番号が付されている。本実施例の水質浄化システム１は、図７に示されるポンプ２と置き換えるだけの簡易工事で設置できる。
【産業上の利用可能性】
【００５６】
本発明は、井水、河川の水または雨水等の水質を改善可能とするものであるので、小規模施設に使用される水質浄化システムとして有用である。
【符号の説明】
【００５７】
１    水質浄化システム
２    ポンプ
３    第一バルブ
４    第三バルブ
５    第二バルブ
６    第四バルブ
７    循環流路
８    フィルタ
９    オゾン生成・混合器
１０  水質センサ
１１  一次貯水槽
１２  水位センサ
１３  二次貯水槽
１４  水位センサ
１５  高圧ポンプ
１６  ＵＦフィルタ
１７  三方弁
１８  三方弁
１９  バルブ
２０  家
２１  配管
２２  水位センサ
２３  水位センサ
【図１】
0005982626.tif 000002
【図２】
0005982626.tif 000003
【図３】
0005982626.tif 000004
【図４】
0005982626.tif 000005
【図５】
0005982626.tif 000006
【図６】
0005982626.tif 000007
【図７】
0005982626.tif 000008